(57)【特許請求の範囲】
【請求項１】
建物の外壁に形成された開口の周囲を規定する開口周縁部であって、前記開口の下端を規定し且つ水平方向に延びる窓台を有する開口周縁部と、前記開口周縁部に取り付けられるサッシ枠であって、前記開口に沿った形状のサッシ枠本体、前記サッシ枠本体から室内側に延び且つ前記開口内に嵌め込まれる嵌め込み部、及び前記サッシ枠本体の下端から下方に延びる鍔部を有するサッシ枠と、の間に配置され、前記サッシ枠から前記開口周縁部への水の浸入を防ぐサッシ用防水部材であって、
前記窓台と前記嵌め込み部との間において前記窓台の上面に沿って配置されるシート状の平面シート部と、
前記平面シート部の室外側の端部から前記窓台の室外側の面に沿って下方に延び、且つ前記窓台と前記下側鍔部との間に位置する前面シート部と、を備え、
前記前面シート部の厚み寸法が前記平面シート部の厚み寸法よりも小さいことを特徴とするサッシ用防水部材。
【請求項２】
請求項１に記載のサッシ用防水部材であって、
前記開口周縁部は、前記開口の横側端部を規定し且つ前記窓台の端部から上方に延びる柱部材を有し、
当該サッシ用防水部材は、前記柱部材の開口側の面に沿って前記平面シート部から上方に延びるシート状の立上りシート部を備え、
前記前面シート部は、前記立上りシート部の室外側の端部から前記柱部材の室外側の面に沿って当該柱部材の幅方向に延びる部位を含むことを特徴とするサッシ用防水部材。
【請求項３】
請求項２に記載のサッシ用防水部材であって、
前記開口周縁部は、前記開口の両方の横側端部を規定し且つ前記窓台の両端から上方に延びる一対の柱部材を有し、
前記立上りシート部は、各柱部材の開口側の面に沿って前記平面シート部から上方にそれぞれ延びていることを特徴とするサッシ用防水部材。
【請求項４】
建物の外壁に形成された開口の周囲を規定する開口周縁部と、前記開口周縁部に取り付けられるサッシ枠と、これら開口周縁部とサッシ枠との間に配置されて前記サッシ枠から前記開口周縁部への水の浸入を防ぐサッシ用防水部材と、を備える防水構造であって、
前記開口周縁部は、前記開口の下端を規定し且つ水平方向に延びる窓台を有し、
前記サッシ枠は、前記開口に沿った形状のサッシ枠本体と、前記サッシ枠本体から室内側に延び且つ前記開口内に嵌め込まれる嵌め込み部と、前記サッシ枠本体の下端から下方に延びる鍔部とを有し、
前記サッシ用防水部材は、前記窓台と前記嵌め込み部との間において前記窓台の上面に沿って配置されるシート状の平面シート部と、前記平面シート部の室外側の端部から前記窓台の室外側の面に沿って下方に延び、且つ前記窓台と前記下側鍔部との間に位置する前面シート部と、を備え、前記前面シート部の厚み寸法が前記平面シート部の厚み寸法よりも小さいことを特徴とする防水構造。
【発明の詳細な説明】
【技術分野】
【０００１】
本発明は、サッシ枠の下端部（下枠）における雨水等の水漏れから、建物の外壁において当該サッシ枠が取り付けられている開口周縁部を保護するためのサッシ用防水部材、及びこのサッシ用防水部材を用いた防水構造に関する。
【背景技術】
【０００２】
従来から、特許文献１に記載されたサッシ用防水部材が知られている。このサッシ用防水部材は、図１１に示されるように、サッシ枠１００と、このサッシ枠１００が取り付けられる開口周縁部１１０との間に配置され、サッシ枠１００の下端部（下枠）における水漏れから開口周縁部１１０を保護する。具体的には、以下の通りである。
【０００３】
開口周縁部１１０は、室内と室外とを連通するように建物の外壁Ｗに設けられた開口１１５の周囲を規定し、サッシ枠１００が取り付けられる。この開口周縁部１１０は、水平方向に延びる窓台１１１と、窓台１１１の上方で当該窓台１１１と平行に延びるまぐさ１１２と、これら窓台１１１とまぐさ１１２との端部同士を接続する一対の柱部材１１３、１１３と、を備える。
【０００４】
サッシ枠１００は、窓台１１１とまぐさ１１２と一対の柱部材１１３、１１３とによって囲まれる開口１１５に沿った形状の枠本体１０１と、枠本体１０１から室内側に延び、開口１１５に嵌め込まれる嵌め込み部１０２と、嵌め込み部１０２が開口１１５に嵌め込まれた状態で開口周縁部１１０の室外側の面に当接する鍔部１０３と、を備える。
【０００５】
サッシ用防水部材２００は、サッシ枠１００の下枠と窓台１１１との間において窓台１１１の上面に沿って広がるシート状の平面シート部２０１と、この平面シート部２０１の室外側の端部から開口周縁部１１０（詳しくは窓台１１１）の前面（室外側の面）に沿って下方に延びるシート状の前面シート部２０２と、を備える。このサッシ用防水部材２００は、これら平面シート部２０１及び前面シート部２０２の厚さがそれぞれ一定となるように一体成形されている。
【０００６】
サッシ用防水部材２００は、サッシ枠１００が取り付けられる前に、窓台１１１の上面に平面シート部２０１が接し且つ窓台１１１の前面（室外側の面）に前面シート部２０２が接するように窓台１１１に貼り付けられる。この状態で、鍔部１０３が開口周縁部１１０の前面に当接するまで嵌め込み部１０２を開口１１５に嵌め込む、即ち、サッシ枠１００を開口周縁部１１０に取り付けることにより、サッシ用防水部材２００は、サッシ枠１００の下枠と窓台１１１との間に配置される。
【０００７】
このとき、サッシ用防水部材２００は、開口周縁部１１０の下端部（例えばサッシ枠１００の下枠と窓台１１１との間等）に配置され、開口周縁部１１０の上端部（例えばサッシ枠１００の上枠とまぐさ１１２との間等）には配置されない。これは、雨水等がサッシ枠１００の上端部（上枠やサッシ枠１００に嵌め込まれた窓ガラスの上部等）に着いても、サッシ枠１００の縦枠や前記窓ガラス等を伝ってサッシ枠１００の下端部に向かうため、サッシ枠１００の上端側から開口周縁部１１０側に浸入し難いからである。
【０００８】
このようにサッシ用防水部材２００が配置されると、サッシ枠１００の下端部、例えば、下枠と縦枠との接合部に生じた隙間等から雨水等の水が浸入しても、下枠と窓台１１１との間のサッシ用防水部材２００によって開口周縁部１１０（窓台１１１等）が濡れるのを防ぐことができる。
【先行技術文献】
【特許文献】
【０００９】
【特許文献１】特公平６−５４０７０号公報
【発明の概要】
【発明が解決しようとする課題】
【００１０】
上記のように、サッシ用防水部材２００は、開口周縁部１１０の下端部のみに配置される。このため、図１２に示されるように、サッシ枠１００が開口周縁部１１０に取り付けられたときに、上枠の鍔部１０３とまぐさ１１２の前面とは直接当接するが、下枠の鍔部１０３と窓台１１１の前面との間にはサッシ用防水部材２００（前面シート部２０２）等が配置されるため、サッシ枠１００が外壁面に対して傾いた状態となる（図１２のα参照）。
【００１１】
この外壁面に対する傾きを抑えるために、サッシ用防水部材２００全体を薄くすることも考えられるが、この場合、窓台１１１にサッシ用防水部材２００が取り付けられた状態で、サッシ枠１００の嵌め込み部１０２を開口１１５内に嵌め込むときに、この嵌め込み部１０２との擦れ等によってサッシ用防水部材２００が破れ易くなる。
【００１２】
そこで、本発明は、上記問題に鑑み、建物の外壁における開口周縁部にサッシ枠を取り付けたときの当該サッシ枠の外壁面に対する傾きを抑えつつ、開口周縁部にサッシ枠を取り付ける作業に対する強度を確保することができるサッシ用防水部材と、このサッシ用防水部材を用いた防水構造とを提供することを課題とする。
【課題を解決するための手段】
【００１３】
上記課題を解消すべく、本発明は、建物の外壁に形成された開口の周囲を規定する開口周縁部であって、前記開口の下端を規定し且つ水平方向に延びる窓台を有する開口周縁部と、前記開口周縁部に取り付けられるサッシ枠であって、前記開口に沿った形状のサッシ枠本体、前記サッシ枠本体から室内側に延び且つ前記開口内に嵌め込まれる嵌め込み部、及び前記サッシ枠本体の下端から下方に延びる鍔部を有するサッシ枠と、の間に配置され、前記サッシ枠から前記開口周縁部への水の浸入を防ぐサッシ用防水部材であって、前記窓台と前記嵌め込み部との間において前記窓台の上面に沿って配置されるシート状の平面シート部と、前記平面シート部の室外側の端部から前記窓台の室外側の面に沿って下方に延び、且つ前記窓台と前記下側鍔部との間に位置する前面シート部と、を備える。そして、前記前面シート部の厚み寸法が前記平面シート部の厚み寸法よりも小さい。
【００１４】
かかる構成によれば、前面シート部の厚み寸法を平面シート部の厚み寸法よりも小さくすることにより、開口周縁部にサッシ枠を取り付けたときのサッシ枠の外壁面に対する傾きを抑えつつ、開口周縁部にサッシ枠を取り付ける作業に対する強度を確保することができる。
【００１５】
即ち、窓台の室外側の面と鍔部の裏面（室内側の面）との間に配置される前面シート部を薄く（厚み寸法を小さく）することによって、この前面シート部の厚さに起因する鍔部の裏面の窓台前面に対する前方側（室内から室外側へ向かう方向）へのずれ量を抑えることができ、その結果、サッシ枠の外壁面に対する傾きを抑えることができる。しかも、平面シート部を厚くする（平面シート部の厚み寸法を大きくする）ことによって、平面シート部の強度を確保することができ、これにより、開口周縁部に囲まれた開口内にサッシ枠の嵌め込み部を嵌め込むときの当該嵌め込み部との擦れ等による平面シート部の破れ等が防がれ、その結果、当該破れ等から開口周縁部（窓台）への水の浸入を（即ち、サッシ枠から浸入した雨水等の水によって開口周縁部が濡れるのを）防ぐことができる。
【００１６】
また、前記開口周縁部は、前記開口の横側端部を規定し且つ前記窓台の端部から上方に延びる柱部材を有し、当該サッシ用防水部材は、前記柱部材の開口側の面に沿って前記平面シート部から上方に延びるシート状の立上りシート部を備え、前記前面シート部は、前記立上りシート部の室外側の端部から前記柱部材の室外側の面に沿って当該柱部材の幅方向に延びる部位を含んでもよい。
【００１７】
かかる構成によれば、柱部材の開口側の面に沿った立上りシート部を備え且つ前面シート部が立上りシート部の室外側の端部から柱部材の前面に沿って当該柱部材の幅方向に延びる部位を含むことによって、開口周縁部の下側の角部（窓台と柱部材との接続部）におけるサッシ枠から開口周縁部への雨水等の浸入を防ぐことができる。
【００１８】
この場合、前記開口周縁部は、前記開口の両方の横側端部を規定し且つ前記窓台の両端から上方に延びる一対の柱部材を有し、前記立上りシート部は、各柱部材の開口側の面に沿って前記平面シート部から上方にそれぞれ延びていてもよい。このように、平面シート部の両端から各柱部材に沿って立上りシート部がそれぞれ延びることによって、下側の両角部を含む開口周縁部の下端部全体において、サッシ枠から浸入した雨水等によって濡れるのを防ぐことができる。
【００１９】
また、上記課題を解消すべく、本発明は、建物の外壁に形成された開口の周囲を規定する開口周縁部と、前記開口周縁部に取り付けられるサッシ枠と、これら開口周縁部とサッシ枠との間に配置されて前記サッシ枠から前記開口周縁部への水の浸入を防ぐサッシ用防水部材と、を備える防水構造であって、前記開口周縁部は、前記開口の下端を規定し且つ水平方向に延びる窓台を有し、前記サッシ枠は、前記開口に沿った形状のサッシ枠本体と、前記サッシ枠本体から室内側に延び且つ前記開口内に嵌め込まれる嵌め込み部と、前記サッシ枠本体の下端から下方に延びる鍔部とを有し、前記サッシ用防水部材は、前記窓台と前記嵌め込み部との間において前記窓台の上面に沿って配置されるシート状の平面シート部と、前記平面シート部の室外側の端部から前記窓台の室外側の面に沿って下方に延び、且つ前記窓台と前記鍔部との間に位置する前面シート部と、を備え、前記前面シート部の厚み寸法が前記平面シート部の厚み寸法よりも小さいことを特徴とする。
【００２０】
かかる構成によれば、サッシ用防水部材における前面シート部の厚み寸法を平面シート部の厚み寸法よりも小さくすることにより、開口周縁部にサッシ枠を取り付けたときのサッシ枠の外壁面に対する傾きを抑えつつ、開口周縁部にサッシ枠を取り付ける作業に対する強度を確保して前記作業における嵌め込み部との擦れ等による平面シート部の破れ等を防ぐことにより、当該破れ等に起因するサッシ枠から開口周縁部への雨水等の浸入を効果的に防ぐことができる。
【発明の効果】
【００２１】
以上より、本発明によれば、建物の外壁における開口周縁部にサッシ枠を取り付けたときの当該サッシ枠の外壁面に対する傾きを抑えつつ、開口周縁部にサッシ枠を取り付ける作業に対する強度を確保することができるサッシ用防水部材と、このサッシ用防水部材を用いた防水構造とを提供することができる。
【図面の簡単な説明】
【００２２】
【図１】本実施形態に係る開口周縁部の正面図である。
【図２】前記開口周縁部とこれに取り付けられるサッシ枠を説明するための図である。
【図３】図３（Ａ）は、前記開口周縁部とサッシ枠との間に配置される部材の配置順を示す拡大断面図であり、図３（Ｂ）は、図３（Ａ）に示す部材が取り付けられた状態を示す拡大断面図である。
【図４】中間部材の斜視図である。
【図５】角部材の斜視図である。
【図６】開口周縁部の周辺における外壁の施工手順を説明するための図であって、前記開口周縁部の窓台に前記中間部材を配置した状態を示す斜視図である。
【図７】開口周縁部の周辺における外壁の施工手順を説明するための図であって、前記角部材を配置した状態を示す斜視図である。
【図８】開口周縁部の周辺における外壁の施工手順を説明するための図であって、サッシ枠を取り付けた状態を示す正面図である。
【図９】開口周縁部の周辺における外壁の施工手順を説明するための図であって、前記サッシ枠の下側に透湿防水シートを取り付けた状態を示す正面図である。
【図１０】開口周縁部の周辺における外壁の施工手順を説明するための図であって、透湿防水シートを取り付けた状態を示す正面図である。
【図１１】従来のサッシ用防水部材を説明するための分解斜視図である。
【図１２】外壁の開口周縁部に前記サッシ用防水部材とサッシ枠とを取り付けた状態の縦断面図である。
【発明を実施するための形態】
【００２３】
以下、本発明の一実施形態について、添付図面を参照しつつ説明する。
【００２４】
本実施形態に係るサッシ用防水部材を用いた防水構造は、図１〜図３（Ｂ）に示されるように、建物の外壁１１に形成された開口１２の周囲を規定する開口周縁部１０と、この開口周縁部１０に取り付けられるサッシ枠２０と、これら開口周縁部１０とサッシ枠２０との間に配置されるサッシ用防水部材３０と、を備える。即ち、前記防水構造では、サッシ用防水部材３０が外壁１１に設けられた開口周縁部１０とサッシ枠２０との間に配置されることにより、サッシ枠２０から浸入した雨水等の水によって前記開口周縁部１０が濡れるのを防ぐことができる。
【００２５】
開口周縁部１０は、建物の外壁１１において室内と室外とを連通するように形成された開口１２の周囲を規定する部位である。この開口周縁部１０は、一対の柱部材１３、１３と、窓台１４と、まぐさ１５とを備える。
【００２６】
各柱部材１３は、上下方向に延びる角材等である。一対の柱部材１３、１３は、サッシ枠２０の幅（図２における左右方向の長さ）に対応する間隔で配置されている。本実形態における一対の柱部材１３、１３の間隔は、例えば１８００ｍｍである。
【００２７】
窓台１４は、所定の高さ位置において、一対の柱部材１３、１３間に掛け渡されるように水平方向に延びる角材等である。
【００２８】
まぐさ１５は、窓台１４の上方において、一対の柱部材１３、１３間に掛け渡されるように水平方向に延びる角材等である。具体的には、まぐさ１５は、窓台１４の上方において当該窓台１４と所定の間隔（サッシ枠２０の高さ寸法）を空けて当該窓台１４と平行に配置される。
【００２９】
このように、開口周縁部１０は、水平方向に延びる窓台１４と、窓台１４の上方で当該窓台１４と平行に延びるまぐさ１５と、これら窓台１４とまぐさ１５との端部同士を接続する一対の柱部材１３、１３と、によって開口１２を規定している。
【００３０】
サッシ枠２０は、ガラス窓を外壁１１に取り付けるための枠である。このサッシ枠２０は、窓台１４とまぐさ１５と一対の柱部材１３、１３とによって囲まれる開口１２に沿った形状（本実施形態では矩形）の枠本体（サッシ枠本体）２２と、枠本体２２から室内側に延び且つ開口１２に嵌め込まれる嵌め込み部２４と、嵌め込み部２４が開口１２に嵌め込まれた状態で開口周縁部１０の室外側の面（前面）、又は、その前側に配置されるサッシ用防水部材３０や透湿防水シート６２に当接する鍔部２６と、を有する。この鍔部２６は、枠本体２２から外側に向かって（枠本体２２の開口中心から枠本体２２に向かう方向に）延び、枠本体２２の周方向の全体に亘って設けられている。
【００３１】
サッシ用防水部材３０は、サッシ枠２０から浸入した雨水等の水によって開口周縁部１０が濡れるのを防ぐための部材であり、本実施形態では、図４及び図５に示されるように、開口周縁部１０の窓台１４に配置される中間部材３１と、開口周縁部１０の下側の各角部（窓台１４と柱部材１３との接続部）に配置される角部材３５と、が在る。このサッシ用防水部材３０（中間部材３１及び角部材３５）は、ＰＥ（ポリエチレン）や熱可塑性エラストマー製であり、インジェクション射出成形によって一体成形されている。
【００３２】
このサッシ用防水部材３０の引張強度は、２．０Ｎ／ｍｍ以上であり、好ましくは、３．０Ｎ／ｍｍ以上である。尚、本実施形態における引張強度定の値は、ＪＩＳ  Ｋ  ７１２７に準拠して測定した値である。
【００３３】
中間部材３１は、平面シート部３２と、前面シート部３３と、を備える。
【００３４】
平面シート部３２は、窓台１４と嵌め込み部２４との間において窓台１４の上面に沿うように配置される。具体的に、平面シート部３２は、平面視において、窓台１４の長手方向（開口周縁部１０の幅方向）に長い矩形のシート状である。そして、平面シート部３２は、矩形の平面シート部本体３２０と、平面シート部本体３２０の室内側の端部から立ち上がる水返し部３２１と、を有する。
【００３５】
平面シート部本体３２０は、その室内側の端部が開口１２内に嵌り込んだ嵌め込み部２４の室内側の端部より室内側に位置するような前後方向（室外から室内側に向かう方向）の長さ寸法を有する。これにより、サッシ枠２０（下枠）の前後方向におけるいずれの位置から雨水等が浸入してきても、この水が窓台１４に到達するのを防ぐことができる。
【００３６】
水返し部３２１は、平面シート部本体３２０の室内側の端部から立ち上がることにより、サッシ枠２０の下枠等から平面シート部本体３２０上に雨水等が漏れてきたときに、この雨水等が室内側に流れ込むのを防ぐ。
【００３７】
本実施形態の平面シート部本体３２０では、長手方向の長さが例えば１７００ｍｍであり、前後方向の長さが例えば４３ｍｍであり、水返し部３２１の高さが例えば１０ｍｍである。また、平面シート部３２（平面シート部本体３２０及び水返し部３２１）の厚さは、０．５ｍｍである。この平面シート部３２の引張強度は、例えば、４．３Ｎ／ｍｍである。
【００３８】
尚、平面シート部本体３２０の厚さは、０．４ｍｍ〜０．７ｍｍであればよい。平面シート部本体３２０がこの厚さ寸法を有することによって当該平面シート部本体３２０において所定の強度が確保され、これにより、サッシ枠２０を開口周縁部１０に取り付けるときのはめ込み部２４との擦れ等による破れが生じ難くなる。
【００３９】
前面シート部３３は、平面シート部３２（詳しくは平面シート部本体３２０）の前側（室外側）の端部から窓台１４の前面（室外側の面）に沿って下方に延びる。この前面シート部３３は、窓台１４と鍔部２６との間に位置する。具体的に、前面シート部３３は、正面視において（室外から室内側に向かう方向から見たときに）、窓台１４の長手方向に長い矩形のシート状である。前面シート部３３の上下方向の長さ寸法は、下端がサッシ枠２０の下枠から下方に延びる鍔部２６の下端よりも下側に位置するような大きさである。
【００４０】
本実施形態の前面シート部３３では、長手方向の長さが例えば１７００ｍｍであり、高さが例えば１５０ｍｍであり、厚さが例えば０．３ｍｍである。この前面シート部３３の引張強度は、例えば、２．６Ｎ／ｍｍである。
【００４１】
尚、前面シート部３３の厚さは、０．１ｍｍ〜０．４ｍｍであればよい。前面シート部３３がこの厚さ寸法を有することにより、前面シート部３３の厚さに起因する鍔部２６の裏面の窓台１４前面に対する前方側（室内から室外側へ向かう方向）へのずれ量を抑えることができる。
【００４２】
これら平面シート部３２と前面シート部３３との接続部位は、図４に示されるように角部において厚さが徐々に変化している。具体的には、前記角部において、平面シート部３２から前面シート部３３に向かうに従って、厚さが０．５ｍｍから０．３ｍｍに徐々に変化している。この図４の拡大図の例では、前記角部の内側の半径が例えば２ｍｍであり、外側の半径が例えば２．３ｍｍである。
【００４３】
角部材３５は、平面シート部３６と、立上りシート部３７と、前面シート部３８と、を備える。
【００４４】
平面シート部３６は、中間部材３１の平面シート部３２と同様に、窓台１４と嵌め込み部２４との間において窓台１４の上面に沿うように配置される。具体的に、平面シート部３６は、平面視において、窓台１４の長手方向に長い矩形のシート状である。そして、平面シート部３６は、矩形の平面シート部本体３６０と、平面シート部本体３６０の室内側の端部から立ち上がる水返し部３６１と、を有する。
【００４５】
平面シート部本体３６０は、中間部材３１の平面シート部３２と同様に、その室内側の端部が開口１２内に嵌り込んだ嵌め込み部２４の室内側の端部より室内側に位置するような前後方向の長さ寸法を有する。これにより、角部材３５の平面シート部３６においても、サッシ枠２０（下枠）の前後方向におけるいずれの位置から雨水等が浸入してきても、この水が窓台１４に到達するのを防ぐことができる。
【００４６】
水返し部３６１は、平面シート部本体３６０の室内側の端部から立ち上がることにより、サッシ枠２０の下枠等から平面シート部本体３６０上に雨水等が漏れてきたときに、この雨水等が室内側に流れ込むのを防ぐ。
【００４７】
本実施形態の平面シート部本体３６０では、窓台１４の長手方向に沿った長さが例えば１５０ｍｍであり、前後方向の長さが例えば４３ｍｍであり、水返し部３６１の高さが例えば１０ｍｍである。また、平面シート部３６（平面シート部本体３６０及び水返し部３６１）の厚さは、０．５ｍｍである。この平面シート部３６の引張強度は、例えば、４．３Ｎ／ｍｍである。
【００４８】
尚、平面シート部本体３６０の厚さは、０．４ｍｍ〜０．７ｍｍであればよい。平面シート部本体３６０がこの厚さ寸法を有することによって当該平面シート部本体３６０において所定の強度が確保され、これにより、サッシ枠２０を開口周縁部１０に取り付けるときのはめ込み部２４との擦れ等による破れが生じ難くなる。
【００４９】
立上りシート部３７は、柱部材１３の内側面（開口１２側の面）に沿って平面シート部３６から上方に延びる。そして、立上りシート部３７は、柱部材１３と嵌め込み部２４との間に位置する。具体的に、立上りシート部３７は、開口１２内から柱部材１３側に向かう方向から見たときに、柱部材１３の長手方向（上下方向）に長い矩形のシート状である。そして、立上りシート部３７は、矩形の立上りシート部本体３７０と、立上りシート部本体３７０の室内側の端部から開口１２の内側に延びる水返し部３７１と、を有する。
【００５０】
本実施形態の立上りシート部本体３７０では、上下方向の長さが例えば１５０ｍｍであり、前後方向の長さが例えば４３ｍｍであり、水返し部３７１の高さ（水平方向の長さ）が例えば１０ｍｍである。また、立上りシート部３７（立上りシート部本体３７０及び水返し部３７１）の厚さは、０．５ｍｍである。この立上りシート部３７の引張強度は、例えば、４．３Ｎ／ｍｍである。
【００５１】
前面シート部３８は、平面シート部３６（詳しくは平面シート部本体３６０）の室外前側の端部から窓台１４の前面に沿って下方に延びる部位と、立上りシート部３７（詳しくは立上りシート部本体３７０）の室外側の端部から柱部材１３の前面に沿って当該柱部材１３の幅方向（図１における左右方向）延びる部位とを含む。この前面シート部３８は、窓台１４及び柱部材１３と鍔部２６との間に位置する。具体的に、この前面シート部３８は、正面視において（室外から室内側を見たときに）、開口１２の下部の角部に沿ったＬ字型のシート状である。前面シート部３８は、高さ（図５における左側端部の高さ）が、例えば３００ｍｍであり、幅（図５における下端部の幅）が、例えば３００ｍｍであり、下端から切欠き部までの高さ（図５における右側端部の高さ）が、例えば１５０ｍｍであり、図５における左端から切欠き部までの幅（図５における上端部の幅）が例えば１５０ｍｍであり、厚さが０．３ｍｍである。この前面シート部３８の引張強度は、例えば、２．６Ｎ／ｍｍである。
【００５２】
尚、前面シート部３８の厚さは、０．１〜０．４ｍｍであればよい。前面シート部３８がこの厚さ寸法を有することにより、前面シート部３８の厚さに起因する鍔部２６の裏面の窓台１４前面に対する前方側（室内から室外側へ向かう方向）へのずれ量を抑えることができる。
【００５３】
これら平面シート部３６と前面シート部３８との接続部位、及び立上りシート部３７と前面シート部３８との接続部位は、図４の拡大図に示される角部と同様に、それぞれ厚さが徐々に変化している。具体的には、平面シート部３６と前面シート部３８との接続部位では、平面シート部３６から前面シート部３８に向かうに従って、厚さが０．５ｍｍから０．３ｍｍに徐々に変化している。また、立上りシート部３７と前面シート部３８との接続部位では、立上りシート部３７から前面シート部３８に向かうに従って、厚さが０．５ｍｍから０．３ｍｍに徐々に変化している。この図５の拡大図の例では、各角部の内側の半径が例えば２ｍｍであり、外側の半径が例えば２．３ｍｍである。
【００５４】
このように、本実施形態の角部材３５では、平面シート部３６と立上りシート部３７とが直交し、平面シート部３６の水平方向の長さと立上りシート部３７の上下方向の長さとが同一であり、平面シート部３６の前後方向の長さと立上りシート部３７の前後方向の長さとが同一であり、平面シート部３６と立上りシート部３７との厚さが同一である。このため、開口周縁部１０の下側の角部（窓台１４と柱部材１３との接続部）に角部材３５を配置するときに、左右いずれの角部に対しても同じ角部材３５を用いることができる。
【００５５】
以上のようなサッシ用防水部材３０（中間部材３１及び角部材３５）は、以下のようにして開口周縁部１０とサッシ枠２０との間に配置される。
【００５６】
先ず、図６に示されるように、中間部材３１が窓台１４に配置される。具体的には、平面シート部本体３２０が窓台１４の上面に例えば両面テープ６０によって貼り付けられる。このとき、前面シート部３３が窓台１４の前面に沿うように、即ち、平面シート部３２と前面シート部３３との接続部位（角部）が窓台１４の上面と前面との接続部位（角部）と重なるように貼り付ける。
【００５７】
次に、図７に示されるように、角部材３５が開口周縁部１０の下側の各角部にそれぞれ配置される。具体的には、角部材３５の中間部材３１側の端部の裏面と中間部材３１の対応する端部の表面とが、例えば両面テープ６０によって張り合わされる（図３参照）。
【００５８】
このようにして、中間部材３１と角部材３５とが開口周縁部１０に配置されると、図８に示されるように、サッシ枠２０が開口周縁部１０に取り付けられる。具体的には、鍔部２６の裏面が前面シート部３３、３８や柱部材１３の前面、まぐさ１５の前面と当接するまで嵌め込み部２４を開口１２内に嵌め込む（挿入する）。
【００５９】
開口１２内に嵌め込み部２４が嵌め込まれた状態で、サッシ枠２０の鍔部２６が柱部材１３やまぐさ１５、窓台１４等にビスや釘等で固定されることにより、サッシ枠２０が開口周縁部１０に固定される。
【００６０】
サッシ枠２０が固定されると、図９に示されるように、サッシ枠２０の下側において、中間部材３１の前面シート部３３及び角部材３５の前面シート部３８と窓台１４との間にその上端部が差し込まれた状態となるように透湿防水シート６２が取り付けられる。具体的には、透湿防水シート６２は、各前面シート部３３、３８の下方側から上方に向かってその上端位置が窓台１４の厚み（上下方向における幅）の中間位置に到達するまで前面シート部３３、３８と窓台１４との間に差し込まれる。その後、この透湿防水シート６２は、柱部材１３等に釘等によって固定される。
【００６１】
サッシ枠２０の下側に透湿防水シート６２が取り付けられると、図１０に示されるように、上側に向かって順に透湿防水シート６２が取り付けられる。具体的に、先ず、サッシ枠２０の縦枠の横側において、鍔部２６の前側及び角部材３５の前側から透湿防水シート６２が取り付けられる。このとき、当該透湿防水シート６２の下端部と、既に取り付けられている透湿防水シート６２（サッシ枠２０の下側に取り付けられた透湿防水シート６２）の上端部とが、前記下端部が上側（前側）となるように重ねられる。このようにサッシ枠２０の縦枠の横側に透湿防水シート６２が取り付けられると、サッシ枠２０の上側にさらに透湿防水シート６２が取り付けられる。このときも、上側の透湿防水シート６２の下端部が下側の（縦枠の横側に取り付けられた）透湿防水シート６２の上端部の上側（前側）になるよう、前記上側の透湿防水シート６２の下端部と前記下側の透湿防水シート６２の上端部とを重ねて前記上側の透湿防水シート６２を取り付ける。
【００６２】
このように、柱部材１３の下端から上端まで透湿防水シート６２が取り付けられると、その上側（前側）からサイディング等の外壁部材が取り付けられる。これにより、建物の外壁面が形成される。
【００６３】
以上のサッシ用防水部材３０（中間部材３１及び角部材３５）によれば、前面シート部３３、３８の厚み寸法を平面シート部３２、３６の厚み寸法よりも小さくすることにより、開口周縁部１０にサッシ枠２０を取り付けた（嵌め込んだ）ときのサッシ枠２０の外壁面に対する傾きを抑えつつ、開口周縁部１０にサッシ枠２０を取り付ける作業に対する強度を確保することができる。
【００６４】
即ち、窓台１４の前面とサッシ枠２０の下枠の鍔部２６の裏面（室内側の面）との間に配置される前面シート部３３、３８を薄く（厚み寸法を小さく）することによって、この前面シート部３３、３８の厚さに起因する鍔部２６の裏面の窓台１４前面に対する前方側（室内から室外側へ向かう方向）へのずれ量を抑えることができる。その結果、サッシ枠２０の外壁面に対する傾きを抑えることができる。しかも、平面シート部３２、３６を厚くする（平面シート部３２、３６の厚み寸法を大きくする）ことによって、平面シート部３２、３６の強度を確保することができる。これにより、サッシ枠２０の嵌め込み部２４を開口周縁部１０に囲まれた開口１２内に嵌め込むときの当該嵌め込み部２４との擦れ等による平面シート部３２、３６の破れ等が防がれる。その結果、当該破れ等からの開口周縁部１０（窓台１４）への水の浸入を防ぐことができる。
【００６５】
また、本実施形態の角部材３５によれば、柱部材１３の開口側の面に沿った立上りシート部３７を備え且つ前面シート部３８が、立上りシート部３７の室外側の端部から柱部材１３の前面に沿って当該柱部材１３の幅方向に延びる部位を含むことによって、開口周縁部１０の下側の角部（窓台１４と柱部材１３との接続部）におけるサッシ枠２０から開口周縁部１０への雨水等の浸入を防ぐことができる。
【００６６】
このため、本実施形態のサッシ用防水部材３０を備えた防水構造によれば、開口周縁部１０にサッシ枠２０を取り付けた（嵌め込んだ）ときのサッシ枠２０の外壁面に対する傾きを抑えつつ、開口周縁部１０にサッシ枠２０を取り付ける作業に対する強度を確保して前記作業における嵌め込み部２４との擦れ等による平面シート部３２、３６の破れ等を防ぐことにより、当該破れ等に起因するサッシ枠２０から開口周縁部１０への雨水等の浸入を効果的に防ぐことができる。
【００６７】
尚、本発明のサッシ用防水部材、及びこのサッシ用防水部材を備えた防水構造は、上記実施形態に限定されるものではなく、本発明の要旨を逸脱しない範囲内において種々変更を加え得ることは勿論である。
【００６８】
上記実施形態のサッシ用防水部材３０には、中間部材３１と角部材３５とが在るが、これに限定されない。例えば、中間部材３１と角部材３５とが一体となったものをサッシ用防水部材３０でしてもよい。このように、立上りシート部３７が各柱部材１３、１３の開口側の面に沿って平面シート部３２から上方にそれぞれ延びていれば、下側の両角部を含む開口周縁部１０の下端部全体において、サッシ枠２０から浸入した雨水等によって濡れるのをより確実に防ぐことができる。
【００６９】
また、一方の角部材３５と中間部材３１とが一体となったものをサッシ用防水部材としてもよい。
【００７０】
また、上記実施形態では、開口周縁部１０とサッシ枠２０との間に中間部材３１と一対の角部材３５、３５とが配置されているが、この配置に限定されない。例えば、一対の角部材３５、３５だけが配置されてもよい。
【符号の説明】
【００７１】
１０   開口周縁部
１１   建物の外壁
１２   開口
１３   柱部材
１４   窓台
２０   サッシ枠
２２   枠本体（サッシ枠本体）
２４   嵌め込み部
２６   鍔部
３０   サッシ用防水部材
３１   中間部材
３２   中間部材の平面シート部
３３   中間部材の前面シート部
３５   角部材
３６   角部材の平面シート部
３７   立上りシート部
３８   角部材の前面シート部
６２   透湿防水シート
【図１】
0005524275.tif 000002
【図２】
0005524275.tif 000003
【図３】
0005524275.tif 000004
【図４】
0005524275.tif 000005
【図５】
0005524275.tif 000006
【図６】
0005524275.tif 000007
【図７】
0005524275.tif 000008
【図８】
0005524275.tif 000009
【図９】
0005524275.tif 000010
【図１０】
0005524275.tif 000011
【図１１】
0005524275.tif 000012
【図１２】
0005524275.tif 000013